(57)【要約】【課題】  本発明の目的は、液晶表示装置の消費電力を減少させることである。さらに、バックライトのオンオフに関係なく常に表示できる領域を有する液晶表示装置を提供することである。【解決手段】  透過型液晶表示パネルアセンブリ、前記透過型液晶表示パネルアセンブリに光を供給するバックライトアセンブリ、及び前記バックライトアセンブリと前記透過型液晶表示パネルアセンブリとの間に配置されている選択反射フィルムを備え、低解像度領域と高解像度領域を有し、前記低解像度領域の画素の面積が前記高解像度領域の画素の面積に比べて広い液晶表示装置を用意する。【選択図】      図２Ｂ
2006171727.tif 000002
【特許請求の範囲】
【請求項１】
低解像度領域と高解像度領域を有し、前記低解像度領域の画素の面積が前記高解像度領域の画素の面積に比べて広い液晶表示装置。
【請求項２】
透過型液晶表示パネルアセンブリと、
前記透過型液晶表示パネルアセンブリに光を供給するバックライトアセンブリと、
前記バックライトアセンブリと前記透過型液晶表示パネルアセンブリとの間に配置されている選択反射フィルムとを備える請求項１に記載の液晶表示装置。
【請求項３】
前記透過型液晶表示パネルアセンブリは、
薄膜トランジスタ表示板と、
前記薄膜トランジスタ表示板と所定の間隔を置いて対向しているカラーフィルタ表示板と、
前記薄膜トランジスタ表示板と前記薄膜トランジスタ表示板との間に形成されている液晶層と、
前記薄膜トランジスタ表示板と前記カラーフィルタ表示板の外側面にそれぞれ配置されている第１偏光板及び第２偏光板とを備える請求項２に記載の晶表示装置。
【請求項４】
前記薄膜トランジスタ表示板に実装されているデータ駆動チップと、
前記薄膜トランジスタ表示板に実装されている低解像度領域駆動用ゲート駆動チップと、
前記薄膜トランジスタ表示板に実装されている高解像度領域駆動用ゲート駆動チップとをさらに備える請求項３に記載の液晶表示装置。
【請求項５】
前記薄膜トランジスタ表示板に実装されているデータ駆動チップと、
前記薄膜トランジスタ表示板に形成されている低解像度領域駆動用ゲート駆動回路と、
前記薄膜トランジスタ表示板に形成されている高解像度領域駆動用ゲート駆動回路とをさらに備える請求項３に記載の液晶表示装置。
【請求項６】
前記薄膜トランジスタ表示板は、
前記低解像度領域に形成されている第１ゲート線と、
前記高解像度領域に形成されている第２ゲート線と、
前記第１ゲート線及び前記第２ゲート線と絶縁されて交差する第１データ線と、
前記第２ゲート線と絶縁されて交差し、前記第１ゲート線とは交差しない第２データ線とを備える請求項３に記載の液晶表示装置。
【請求項７】
前記第１データ線と前記第２データ線が交互に配置されている請求項６に記載の液晶表示装置。
【請求項８】
前記第１ゲート線間の間隔が前記第２ゲート線間の間隔の２倍である請求項６に記載の液晶表示装置。
【請求項９】
半透過型液晶表示パネルアセンブリ及び前記液晶表示パネルアセンブリに光を供給するバックライトアセンブリを備える請求項１に記載の液晶表示装置。
【請求項１０】
前記半透過型液晶表示パネルアセンブリは、
透過電極と透過窓を有する反射電極を備える薄膜トランジスタ表示板と、
前記薄膜トランジスタ表示板と所定の間隔を置いて対向しているカラーフィルタ表示板と、
前記薄膜トランジスタ表示板と前記薄膜トランジスタ表示板との間に形成されている液晶層と、
前記薄膜トランジスタ表示板と前記カラーフィルタ表示板の外側面にそれぞれ配置されている第１偏光板及び第２偏光板とを備える請求項９に記載の液晶表示装置。
【請求項１１】
前記薄膜トランジスタ表示板は、
前記低解像度領域に形成されている第１ゲート線と、
前記高解像度領域に形成されている第２ゲート線と、
前記第１ゲート線及び前記第２ゲート線と絶縁されて交差する第１データ線と、
前記第２ゲート線と絶縁されて交差し、前記第１ゲート線とは交差しない第２データ線とを備える請求項１０に記載の液晶表示装置。
【請求項１２】
前記第１データ線と前記第２データ線が交互に配置されている請求項１１に記載の液晶表示装置。
【請求項１３】
前記第１ゲート線間の間隔が前記第２ゲート線間の間隔の２倍である請求項１１に記載の液晶表示装置。
【請求項１４】
低解像度領域と高解像度領域を有し、前記低解像度領域の画素の面積が前記高解像度領域の画素の面積に比べて広く、前記低解像度領域の少なくとも一部は一色のみを表示する液晶表示装置。
【請求項１５】
前記低解像度領域の画素が前記高解像度領域の画素三つと同一な面積を有する請求項１４に記載の液晶表示装置。
【請求項１６】
前記低解像度領域の画素配列は、前記高解像度領域において一つのドットを表現する赤色、青色及び緑色画素からなる画素グループの配列と同一である請求項１５に記載の液晶表示装置。
【請求項１７】
前記高解像度領域の緑色画素に画像信号を供給するデータ線が延長して、前記低解像度領域の各画素に画像信号を供給する請求項１６に記載の液晶表示装置。
【請求項１８】
前記低解像度領域は白黒表示を行なう請求項１４に記載の液晶表示装置。
【請求項１９】
前記低解像度領域は一色のみを表示する複数の単色領域を有し、前記単色領域毎に表示する色が異なる請求項１４に記載の液晶表示装置。
【請求項２０】
前記単色領域の少なくとも一つは、２種類のカラーフィルタを共に有する画素からなる請求項１９に記載の液晶表示装置。
【請求項２１】
低解像度領域と高解像度領域を有し、前記低解像度領域に形成されている第１ゲート線と第１データ線、及び前記高解像度領域に形成されている第２ゲート線と第２データ線を備え、前記低解像度領域の画素の面積が前記高解像度領域の画素の面積に比べて広く、前記低解像度領域は幅方向と長手方向を有し、前記第１データ線は前記低解像度領域の長手方向に沿って延在している液晶表示装置。
【請求項２２】
前記第２データ線は前記第１データ線と垂直をなす方向に延在している請求項２１に記載の液晶表示装置。
【請求項２３】
前記第１ゲート線は前記低解像度領域の幅方向に沿って延在しており、前記第１ゲート線に走査信号を供給する低解像度領域ゲート駆動回路をさらに備え、前記低解像度領域ゲート駆動回路は前記低解像度領域の一側面に前記第１データ線方向に沿って形成されている請求項２２に記載の液晶表示装置。
【請求項２４】
前記第２ゲート線は前記第１ゲート線と垂直をなす方向に延在しており、前記第２ゲート線に走査信号を供給する高解像度領域ゲート駆動回路をさらに備え、前記高解像度領域ゲート駆動回路は前記高解像度領域の一側面に前記第２データ線方向に沿って形成されている請求項２３に記載の液晶表示装置。
【請求項２５】
前記第１及び第２データ線に画像信号を供給するデータ駆動回路と前記データ駆動回路と前記第１データ線との間を接続する接続配線をさらに備える請求項２２に記載の液晶表示装置。
【請求項２６】
複数の表示領域に分割された表示部と、
それぞれ光源を有し、前記複数の表示領域にそれぞれ光を供給する複数の光源部と、
外部からの制御信号に従って前記複数の光源部に必要な電圧をそれぞれ供給する光源制御装置とを備える表示装置。
【請求項２７】
前記表示部は解像度に応じて複数の表示領域に分割される請求項２６に記載の表示装置。
【請求項２８】
前記表示部は高解像度領域である主表示部と低解像度領域である副表示部を備える請求項２７に記載の表示装置。
【請求項２９】
前記複数の光源部は、前記主表示部に光を供給する主光源部と、
前記副表示部に光を供給する副光源部とを備える請求項２８に記載の表示装置。
【請求項３０】
前記主光源部は前記副光源部より多くの光源を有する請求項２９に記載の表示装置。
【請求項３１】
前記主光源部の光源は直列に接続されている請求項３０に記載の表示装置。
【請求項３２】
前記主光源部の光源は並列に接続されている請求項３０に記載の表示装置。
【請求項３３】
前記光源は発光ダイオードである請求項３０に記載の表示装置。
【請求項３４】
前記光源制御装置は、
前記各光源部の動作に必要な電圧を提供する複数の電源部と、
前記複数の電源部を駆動させる制御信号を印加する光源制御部とを備える請求項２６に記載の表示装置。
【請求項３５】
前記複数の光源部は前記表示部の上側及び下側にそれぞれ配置されている請求項２６に記載の表示装置。
【請求項３６】
前記複数の光源部は前記表示部の左側または右側にそれぞれ配置されている請求項２６に記載の表示装置。
【発明の詳細な説明】
【技術分野】
【０００１】
本発明は、液晶表示装置及び液晶表示装置用薄膜トランジスタ表示板に関する。
【背景技術】
【０００２】
一般の液晶表示装置は、電界生成電極が備えられた二つの表示板とその間に入っている誘電率異方性を有する液晶層とを備える。電界生成電極に電圧を印加して液晶層に電場を生成し、この電場の強さを調節することによって液晶層を通過する光の透過率を調節して所望の画像を得る。
この時の光は、別途備えられた人工光源であるか、自然光であることができる。
【０００３】
液晶表示装置用の人工光源、つまりバックライト装置は、光源としてＣＣＦＬ（ｃｏｌｄ ｃａｔｈｏｄｅ ｆｌｕｏｒｅｓｃｅｎｔ ｌａｍｐ）やＥＥＦＬ（ｅｘｔｅｒｎａ ｌｅｌｅｃｔｒｏｄｅ ｆｌｕｏｒｅｓｃｅｎｔ）などのような複数個の蛍光ランプを用いたり、複数の発光ダイオードを用いる。
【発明の開示】
【発明が解決しようとする課題】
【０００４】
ところがバックライトが消費する電力は液晶表示装置の全体の消費電力の相当部分を占める。よって、液晶表示装置の消費電力を低くするためには、バックライトの電力効率を向上させたり、その使用時間を減少させる方法が最も有力である。
一方、携帯電話機などのモバイル機器の場合、電源として電池を利用するので電源供給量に限界がある。そのため、モバイル機器に用いられる液晶表示装置の電力消耗を減らしモバイル機器の使用時間を延長するための様々な研究がなされている。
そこで、本発明の目的は、液晶表示装置の消費電力を減少させることである。
【課題を解決するための手段】
【０００５】
このような技術的課題を構成するために、本願第１発明は、低解像度領域と高解像度領域を有し、前記低解像度領域の画素面積が前記高解像度領域の画素面積に比して広い液晶表示装置を用意する。例えば、液晶表示パネルに低解像度領域と高解像度領域とを設け、常時表示すべき情報は低解像度領域で表示するようにし、例えば携帯電話機の通話時に必要な情報は高解像度領域で表示するようにする。ここで、低解像度領域の画素面積を高解像度領域よりも広くすることで、低解像度領域の開口率が高まる。このように開口率が増加すれば、バックライトの光源を消した状態でも外部光を十分に取り込んで高輝度・高品質な画像を表示可能となる。つまり、常時表示を行う低解像度領域での画素の大きさを大きく形成して、電力消耗を減少させるためにバックライト光源を消した状態としても、開口率の高い画素領域から外部光が入射され易いため、輝度の低下を防いで高品質の表示を行うことができる。以上より、消費電力の節減効果と、必要な情報の常時表示という効果を同時に得ることができる。
【０００６】
本願第２発明は、第１発明において、液晶表示装置は、透過型液晶表示パネルアセンブリ、前記透過型液晶表示パネルアセンブリに光を供給するバックライトアセンブリ、及び前記バックライトアセンブリと前記透過型液晶表示パネルアセンブリのと間に配置されている選択反射フィルムを備えることができる。選択反射フィルムによる光反射を利用して表示を行なう際に、光利用効率を増加させ、表示品質を向上することができる。
【０００７】
本願第３発明は、第２発明において、前記透過型液晶表示パネルアセンブリは、薄膜トランジスタ表示板、前記薄膜トランジスタ表示板と所定間隔を置いて対向しているカラーフィルタ表示板、前記薄膜トランジスタ表示板と前記薄膜トランジスタ表示板との間に形成されている液晶層、前記薄膜トランジスタ表示板と前記カラーフィルタ表示板の外側面にそれぞれ配置されている第１偏光板及び第２偏光板を備えることが好ましい。
【０００８】
また、本願第４発明は、第３発明において、前記薄膜トランジスタ表示板に実装されているデータ駆動チップ、前記薄膜トランジスタ表示板に実装されている低解像度領域駆動用ゲート駆動チップ及び前記薄膜トランジスタ表示板に実装されている高解像度領域駆動用ゲート駆動チップをさらに備えることができる。低解像度領域にのみ画像を表示しようとする場合には、低解像度駆動用ゲート駆動チップにのみ動作信号を供給し、高解像度駆動用ゲート駆動チップには動作信号を供給しないなどの制御を行う。これにより、必要な部分の駆動回路のみを駆動することで、消費電力を減らすことができる。
【０００９】
または、本願第５発明は、第３発明において、前記薄膜トランジスタ表示板に実装されているデータ駆動チップ、前記薄膜トランジスタ表示板に形成されている低解像度領域駆動用ゲート駆動回路及び前記薄膜トランジスタ表示板に形成されている高解像度領域駆動用ゲート駆動回路をさらに備えることができる。低解像度領域にのみ画像を表示しようとする場合には、低解像度駆動用ゲート駆動回路にのみ動作信号を供給し、高解像度駆動用ゲート駆動回路には動作信号を供給しないなどの制御を行う。これにより、必要な部分の駆動回路のみを駆動することで、消費電力を減らすことができる。
【００１０】
本願第６発明は、第３発明において、前記薄膜トランジスタ表示板は、前記低解像度領域に形成されている第１ゲート線、前記高解像度領域に形成されている第２ゲート線、前記第１ゲート線及び前記第２ゲート線と絶縁されて交差する第１データ線、前記第２ゲート線とは絶縁されて交差して前記第１ゲート線とは交差しない第２データ線を備えることが好ましい。このような構成により、必要なゲート線及びデータ線のみに駆動信号を伝達することで消費電力を節減することができる。
【００１１】
本願第７発明は、第６発明において、前記第１データ線と前記第２データ線は交互に配置されることができる。例えば、第２ゲート線は高解像度領域のみに配置し、第１ゲート線を低解像度領域及び高解像度領域で共有することも可能である。
本願第８発明は、第６発明において、前記第１ゲート線間の間隔が前記第２ゲート線間の間隔の２倍であり得る。これにより、低解像度領域の開口率を高めることができる。
【００１２】
本願第９発明は、第１発明において、液晶表示装置は、半透過型液晶表示パネルアセンブリ及び前記液晶表示パネルアセンブリに光を供給するバックライトアセンブリを備えることができる。半透過型液晶表示装置は、外部光が強いときには外部光を反射して画像表示に用いる反射型モードとして使用し、外部光が弱いときにはバックライト光を用いて画像を表示する透過型モードとして使用する。このような半透過型液晶表示装置において節電のためバックライトを消す場合、低解像度領域を反射型モードで駆動することによって必要な情報を常時表示することができる。これにより、消費電力を節減することができる。
【００１３】
本願第１０発明は、第９発明において、前記半透過型液晶表示パネルアセンブリは、透過電極と透過窓を有する反射電極を備える薄膜トランジスタ表示板、前記薄膜トランジスタ表示板と所定の間隔を置いて対向しているカラーフィルタ表示板、前記薄膜トランジスタ表示板と前記薄膜トランジスタ表示板との間に形成されている液晶層、前記薄膜トランジスタ表示板と前記カラーフィルタ表示板の外側面にそれぞれ配置されている第１偏光板及び第２偏光板を備えることができる。
【００１４】
本願第１１発明は、第１０発明において、前記薄膜トランジスタ表示板は、前記低解像度領域に形成されている第１ゲート線、前記高解像度領域に形成されている第２ゲート線、前記第１ゲート線及び前記第２ゲート線と絶縁されて交差する第１データ線、前記第２ゲート線と絶縁されて交差し、前記第１ゲート線とは交差しない第２データ線を備えることが好ましい。
【００１５】
本願第１２発明は、第１１発明において、前記第１データ線と前記第２データ線は交互に配置されることができる。
本願第１３発明は、第１１発明において、前記第１ゲート線間の間隔が前記第２ゲート線間の間隔の２倍であり得る。
このような技術的課題を解決するために、本願第１４発明は、低解像度領域と高解像度領域を備え、前記低解像度領域の画素の面積が前記高解像度領域の画素の面積に比して広く、前記低解像度領域の少なくとも一部は一色のみを表示する液晶表示装置を用意する。
この時、本願第１５発明は、第１４発明において、前記低解像度領域の画素は、前記高解像度領域の画素三つと同一な面積を有することが好ましい。このように、高解像度領域の画素三つの面積と同じ面積を有するように低解像度領域の画素を形成することで、画素開口率が増加する。
【００１６】
本願第１６発明は、第１５発明において、前記低解像度領域の画素配列は、前記高解像度領域において一つのドットを表現する赤色、青色及び緑色画素からなる画素グループの配列と同一であることができる。
本願第１７発明は、第１６発明において、前記高解像度領域の緑色画素に画像信号を供給するデータ線が延長されて、前記低解像度領域の各画素に画像信号を供給することができる。
【００１７】
また、本願第１８発明は、第１４発明において、前記低解像度領域は白黒表示をすることもできる。白表示は、カラーフィルタを省略したり、白色カラーフィルターを形成することで行う。これにより、カラーフィルタによる光吸収が無くなるので、光利用効率が大きく増加する。
本願第１９発明は、第１４発明において、前記低解像度領域は一色のみを表示する複数の単色領域を有し、前記単色領域毎に表示する色が異なることもあり得る。
【００１８】
本願第２０発明は、第１９発明において、前記単色領域の少なくとも一つは、２種類のカラーフィルタを共に有する画素からなることもある。
このような技術的課題を解決するために本願第２１発明では、低解像度領域と高解像度領域を有し、前記低解像度領域に形成されている第１ゲート線と第１データ線、及び前記高解像度領域に形成されている第２ゲートと第２データ線を備え、前記低解像度領域の画素面積が前記高解像度領域の画素面積に比して広く、前記低解像度領域は幅方向と長手方向を有し、前記第１データ線は前記低解像度領域の長手方向に沿って延在している、液晶表示装置を用意する。低解像度領域の第１データ線を低解像度領域の長手方向に形成する場合、第１データ線の数が減少する。第１データ線の数が減少すれば、データ線に駆動信号を与える駆動チップと低解像度領域のデータ線引込部との間を接続する接続配線の数も減少する。このように、接続配線の数が減少する場合、設計時の配線配置が容易になる。
【００１９】
ここで、本願第２２発明は、第２１発明において、前記第２データ線は前記第１データ線と垂直をなす方向に延在している。
本願第２３発明は、第２１発明において、前記第１ゲート線は前記低解像度領域の幅方向に沿って伸びており、前記第１ゲート線に走査信号を供給する低解像度領域ゲート駆動回路をさらに備え、前記低解像度領域ゲート駆動回路は、前記低解像度領域の一側面に前記第１データ線方向に沿って形成されることが好ましい。
【００２０】
本願第２４発明は、第２３発明において、前記第２ゲート線は前記第１ゲート線と垂直をなす方向に延在しており、前記第２ゲート線に走査信号を供給する高解像度領域ゲート駆動回路をさらに備え、前記高解像度領域ゲート駆動回路は前記高解像度領域の一側面に前記第２データ線方向に沿って形成されることが好ましい。
また、本願第２５発明は、第２２発明において、前記第１及び第２データ線に画像信号を供給するデータ駆動回路と前記データ駆動回路と前記第１データ線との間を接続する接続配線をさらに備えることができる。
【００２１】
このような技術的課題を解決するための本願第２６発明の一特徴による表示装置は、複数の表示領域に分割された表示部、それぞれ光源を有し、前記複数の表示領域にそれぞれ光を供給する複数の光源部、並びに外部からの制御信号に従って前記複数の光源部に必要な電圧を各々供給する光源制御装置を備える。表示領域を例えば主表示部と副表示部に分割した後、主表示部と副表示部の領域にそれぞれ別途の光源部を装着し、各表示部の動作状態に応じて当該光源部のみを点灯する。これにより、必要な領域に必要な映像のみを表示する場合、当該領域に対応する光源のみを駆動すれば良いので、光源で消費される電力が減少し、表示装置全体の電力消耗が減少する。
【００２２】
本願第２７発明は、第２６発明において、前記表示部は解像度に応じて複数の表示領域に分割されていることが好ましい。解像度の違いに応じて表示領域をそれぞれ駆動することができ、必要な部分のみを駆動できるなど、消費電力を節減することができる。
本願第２８発明は、第２７発明において、前記表示部は高解像度領域である主表示部と低解像度領域である副表示部を備えることができる。
【００２３】
本願第２９発明は、第２８発明において、前記複数の光源部は、前記主表示部に光を供給する主光源部と前記副表示部に光を供給する副光源部を備えることができる。
本願第３０発明は、第２９発明において、前記主光源部は前記副光源部より多くの光源を有することが好ましい。
本願第３１発明は、第３０発明において、前記主光源部の光源は直列に接続されている。
【００２４】
本願第３２発明は、第３０発明において、並列に接続されていることができる。
本願第３３発明は、第３０発明において、前記光源は発光ダイオードであることが好ましい。
本願第３４発明は、第２６発明において、前記光源制御装置は、前記各光源部の動作に必要な電圧を提供する複数の電源部、並びに前記複数の電源部を駆動する制御信号を印加する光源制御部を備えることができる。
【００２５】
本願第３５発明は、第２６発明において、前記複数の光源部は前記表示部の上側及び下側にそれぞれ配置されることができる。
本願第３６発明は、第２６発明において、前記複数の光源部は前記表示部の左側または右側にそれぞれ配置されることができる。
【発明の効果】
【００２６】
本発明によれば、液晶表示装置の消費電力を減少させることができる。
【発明を実施するための最良の形態】
【００２７】
以下、添付した図面を参照して、本発明の実施形態を、本発明が属する技術分野における通常の知識を有する者が容易に実施することができるように詳細に説明する。しかし、本発明は、多様な形態で実現することができ、ここで説明する実施形態に限定されない。
図面は、各種層及び領域を明確に表現するために、厚さを拡大して示している。明細書全体を通じて類似した部分については同一な参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００２８】
図１は、本発明の一実施形態による液晶表示装置の分解斜視図である。図１に示すように、本発明による液晶表示装置は、光を利用して映像を表示する液晶表示パネルアセンブリ３３０と、光を発生するバックライトアセンブリ３４０と、液晶表示パネルアセンブリ３３０とバックライトアセンブリ３４０との間に配置されている選択反射フィルム３４７と、液晶表示パネルアセンブリ３３０、選択反射フィルム３４７及びバックライトアセンブリ３４０を収納するモールドフレーム３６４と、及びこれらを取り囲み固定する上部及び下部シャーシ３６１、３６２とを備える。
【００２９】
液晶表示パネルアセンブリ３３０は、映像を表示する液晶表示パネル３００、駆動チップ５１０及びフレキシブル回路基板５５０を備える。
液晶表示パネル３００はさらに薄膜トランジスタ表示板（以下、ＴＦＴ表示板）１００、ＴＦＴ表示板１００と互いに対向して結合するカラーフィルタ表示板２００、及びＴＦＴ表示板１００とカラーフィルタ表示板２００との間に注入された液晶層（図示せず）を備える。
【００３０】
ＴＦＴ表示板１００は複数の画素（図示せず）がマトリクス状に具備される。各々の画素は第１方向に延長されたゲート線（図示せず）、第１方向と直交する第２方向に延在してゲート線と絶縁されて交差するデータ線（図示せず）によって定義され、画素電極を備える。また、各画素にはゲート線、データ線及び画素電極に接続されている薄膜トランジスタ（以下、ＴＦＴ）（図示せず）が形成されている。
【００３１】
カラーフィルタ表示板２００には白色光を用いて所定の色を発現する赤色、緑色及び青色のカラーフィルタ（図示せず）が薄膜工程によって形成されており、画素電極と対向する共通電極が形成されている。
液晶層は画素電極及び共通電極に印加される電圧によって配列されることによって、バックライトアセンブリ３４０から提供される光の偏光状態を変化させる。
【００３２】
ＴＦＴ表示板１００の第１端部には、データ線及びゲート線に駆動信号を印加するための駆動チップ５１０が実装される。前記駆動チップ５１０は、データ線用チップとゲート線用チップに分離された二つ以上のチップで構成されたり、これらを統合した一つのチップで構成される。駆動チップ５１０は、ＣＯＧ（Ｃｈｉｐ Ｏｎ Ｇｌａｓｓ）工程によって前記ＴＦＴ表示板１００上に実装される。
【００３３】
ＴＦＴ表示板１００の第１端部には、駆動チップ５１０を制御するための制御信号を印加するフレキシブル回路基板５５０が付着される。フレキシブル回路基板５５０には、駆動信号のタイミングを調節するためのタイミングコントローラやデータ信号を保存するためのメモリなどが実装されている。前記フレキシブル回路基板５５０は、異方性導電フィルムを媒介にして前記ＴＦＴ表示板１００と電気的に接続される。
【００３４】
液晶表示パネルアセンブリ３３０の下には、液晶表示パネル３００に均一な光を提供するためのバックライトアセンブリ３４０が具備される。
バックライトアセンブリ３４０は、光を発生する光源３４４、光経路をガイドするための導光板３４２、導光板３４２から射出した光の輝度を均一にする光学シート３４３、導光板３４２から漏れる光を反射するための反射板３４１を備える。
【００３５】
光源３４４は導光板３４２の一側に位置し、光を導光板３４２に提供する。光源３４４としてはＣＣＦＬ、ＥＥＦＬなどの線形などを用いたり、電力消費が少ない発光ダイオード（Ｌｉｇｈｔ Ｅｍｉｔｔｉｎｇ Ｄｉｏｄｅ）を用いる。光源３４４の一側には、光源３４４を制御するためのフレキシブル回路基板（図示せず）が付着されている。本実施形態において、光源３４４が導光板３４２の一側に配置されているが、必要に応じて導光板３４２の両側に配置したり、導光板３４２の下に複数配置することができる。後者の場合には導光板３４２を省略することもできる。
【００３６】
導光板３４２は、画像が表示される液晶表示パネル３００の表示領域に光をガイドするための導光パターン（図示せず）を備える。
導光板３４２と液晶表示パネル３００との間には光学シート３４３が介在される。光学シート３４３は導光板３４２から提供された光の輝度を均一にして液晶表示パネル３００に提供する。
【００３７】
一方、液晶表示パネルアセンブリ３３０とバックライトアセンブリ３４０との間には、バックライト光源３４４を消した状態で外部光を反射して画像を表示させるための選択反射フィルム３４７が配置されている。選択反射フィルム３４７は、光の一部は反射し、一部は透過する。従って、バックライト光源３４４が点灯しているときは、バックライト光が選択反射フィルム３４７を透過し液晶表示パネル３００に入射して表示に使用され、バックライト光源３４４が消えているときは、液晶表示パネル３００を介して入射した外部光が選択反射フィルム３４７で反射して再び液晶表示パネル３３に入射して表示に使用される。
【００３８】
導光板３４２の下には反射板３４１が具備される。反射板３４１は導光板３４２から漏れた光を再び導光板３４２に反射して光の利用効率を向上させる。
モールドフレーム２５２は、反射板３４１、導光板３４２、光学シート３４３及び液晶表示パネル３００を順次に収納する。モールドフレーム２５２は、開口された底面２５１及び前記底面２５１から延長された側壁２５２を備え、合成樹脂材質からなる。
【００３９】
フレキシブル回路基板５５０は、モールドフレーム３６４の外側壁２５２に沿って折り曲げられる。モールドフレーム３６４の側壁２５２には、下部シャーシ３６２と結合するための複数の第１結合突起５１が形成されている。
モールドフレーム３６４は、金属材質からなる下部シャーシ３６２に収納される。下部シャーシ３６２は、ベースプレート２６１及びベースプレート２６１のエッジから収納空間を形成するために延長された側板２６２を備える。側板２６２には、複数の第１結合突起５１に対応する複数の結合溝６１が形成されている。
【００４０】
モールドフレーム３６４と下部シャーシ３６２は結合する際に、下部シャーシ３６２の側板２６２が部分的にモールドフレーム３６４の側壁２５２の外側に位置する。複数の第１結合突起５１は、複数の結合溝６１に挿入されモールドフレーム３６４と下部シャーシ３６２を結合する。この時、モールドフレーム３６４は、液晶表示装置の全体の大きさを小さくするために、下部シャーシ３６２の側板２６２と接する部分が部分的に下部シャーシ３６２の側板２６２の厚さほど凹んでいる。
【００４１】
一方、液晶表示パネル３００の上部には、上部シャーシ３６１が備えられている。上部シャーシ３６１は、液晶表示パネル３００を、映像が表示される有効表示領域が開口されるように覆いながら下部シャーシ３６２と結合する。上部シャーシ３６１は、液晶表示パネル３００の位置をガイドし、液晶表示パネル３００をモールドフレーム３６４内に固定する。
【００４２】
次に、本発明の一実施形態による液晶表示装置の液晶表示パネル３００について図２Ａ、図２Ｂ及び図３を参照して詳細に説明する。
図２Ａ及び図２Ｂは、本発明の一実施形態による液晶表示装置の配置図であり、図３は、本発明の一実施形態による液晶表示装置の低解像度領域及び高解像度領域それぞれの画素面積を比較する図である。
【００４３】
図２Ａ及び図２Ｂに示すように、液晶表示パネル３００の下部に駆動チップ５１０が実装されており、液晶表示パネル３００の表示領域は、低解像度領域と高解像度領域に区分されている。
低解像度領域は、画素の大きさが低解像度領域の画素の大きさの４倍になるように形成されている。このような低解像度領域は、携帯電話機等において時間表示、アンテナ感度表示、電池消耗表示など、定形化した表示を行なう部分であって、解像度が低くても表示に影響が少ない補助表示部として用いられる。
【００４４】
高解像度領域は、定形化されない様々な画像を表示する領域であって、より精密な表示が求められる画像を表示する主表示部として用いられる。
図３に示すように、低解像度領域の１画素が占める面積は、高解像度領域の１画素が占める面積の４倍である。ここで、ゲート線１２１及びデータ線１７１などの配線や薄膜トランジスタ（ＴＦＴ）の大きさは、低解像度領域と高解像度領域において同一である。そして、例えばＴＦＴは１画素に１つ設けられており、ゲート線１２１及びデータ線１７１は１画素を取り囲むように配置されている。よって、図３に示すように、低解像度領域の開口率は高解像度領域に比べて遥かに高い。例えば、１２８×１６０の１．８インチ液晶表示パネルの場合、開口率が５３％で画素面積を４倍とするとき、開口率が７６％に増加する。即ち、高解像度領域に対する低解像度領域の開口率の増加率が４３％に至る。このように開口率が増加すれば、バックライトの光源（図１の３４４）を消した状態で選択反射フィルム３４７の光反射を利用して表示を行なう際に、光利用効率が増加して表示品質が向上する。
【００４５】
即ち、従来の液晶表示装置では選択反射フィルム３４７を適用した場合にも、光利用効率が低いため、バックライト光源３４４を消した状態では画像が明確に表示されなかった。しかし、本発明のように、常時表示を行なう部分の画素の大きさを大きく形成する場合、電力消耗を減少させるためにバックライト光源３４４を消した状態としても、開口率の高い画素領域から外部光が入射され易いため選択反射フィルム３４７を用いて輝度の低下を防いで高品質の表示を行うことができる。
【００４６】
例えば、携帯電話に適用する液晶表示装置の場合、電力消耗を減らすためにバックライトは携帯電話機を使用するときのみ点灯するように設定する。しかし、時間表示や電池消耗表示等は随時確認する必要があるので、常時表示することが好ましい。従って、液晶表示パネルに低解像度領域と高解像度領域とを設け、常時表示すべき情報は低解像度領域で表示するようにし、通話などの携帯電話機の使用時に必要な情報は高解像度領域で表示するようにする。このようにすれば、消費電力の節減効果と、必要な情報の常時表示という効果を同時に得ることができる。
【００４７】
本発明の実施形態では、低解像度領域の画素面積を高解像度領域の２×２行列に属する画素４つを合せた面積で示しているが、低解像度領域の画素面積は必要に応じて増減できる。
次に、液晶表示パネル（図１で３００）の構造についてより詳しく説明する。低解像度領域の画素と高解像度領域の画素は、占める面積を除いて同一な構造を有するので区別なしに説明する。
【００４８】
図４は、本発明の一実施形態による液晶表示装置の液晶表示パネルにおいて個別画素の配置を示す図である。図５は、図４のＶ-Ｖ´線による断面図である。
まず、薄膜トランジスタ表示板１００について説明する。
絶縁基板１１０上にゲート信号を伝達し、主に横方向に延在している複数のゲート線１２１が形成されている。
【００４９】
各ゲート線１２１の一部は、複数のゲート電極１２４をなす。また、各ゲート線１２１は、外部装置との接続のために幅が拡張されている拡張部１２５を備える。ゲート線１２１のほとんどは表示領域に位置しているが、ゲート線１２１の拡張部１２５は周辺領域に位置する。ここで、ゲート駆動回路をＴＦＴ表示板（図１で１００）に直接形成する場合には、ゲート線１２１の拡張部を省略することもできる。
【００５０】
ゲート線１２１は物理的性質が異なる二つの膜、つまり下部膜１２１ｐとその上の上部膜１２１ｑを有する。上部膜１２１ｑは、ゲート信号の遅延や電圧降下を減らすことができるように低い比抵抗の金属、例えばアルミニウム（Ａｌ）やアルミニウム合金などのアルミニウム系金属からなる。これとは異なって、下部膜１２１ｐは、他の物質、特にＩＴＯ（ｉｎｄｉｕｍ ｔｉｎ ｏｘｉｄｅ）及びＩＺＯ（ｉｎｄｉｕｍ ｚｉｎｃ ｏｘｉｄｅ）との物理的、化学的、電気的な接触特性が優れた物質、例えばモリブデン（Ｍｏ）、モリブデン合金（例：モリブデン-タングステン（ＭｏＷ）合金）、クロム（Ｃｒ）、タンタル（Ｔａ）、チタニウム（Ｔｉ）などからなる。下部膜１２１ｐと上部膜１２１ｑの組み合わせの例として、クロム/アルミニウム-ネオジム（Ｎｄ）合金がある。図５で、ゲート電極１２４の下部膜と上部膜は各々図面符号１２４ｐ、１２４ｑで示されている。そして、ゲート線１２１の拡張部１２５も上部膜１２５ｑと下部膜１２５ｐを有する。
【００５１】
また、下部膜１２１ｐと上部膜１２１ｑの側面はそれぞれ傾斜しており、その傾斜角は基板１１０の表面に対して約３０〜８０度をなす。このように傾斜することで、その上部に形成される層を平坦化するとともに、上部の配線との接続を良好にする。
ゲート線１２１上には窒化ケイ素（ＳｉＮｘ）などからなるゲート絶縁膜１４０が形成されている。
【００５２】
ゲート絶縁膜１４０上部には、水素化非晶質シリコン（ｈｙｄｒｏｇｅｎａｔｅｄ ａｍｏｒｐｈｏｕｓ ｓｉｌｉｃｏｎ）（非晶質シリコンはａ-Ｓｉと略称する。）などからなる複数の半導体１５０が形成されている。半導体１５０は主にゲート電極１２４上に形成されており、半導体１５０はゲート電極１２４より広い面積を覆っている。
半導体１５０の上部には、シリサイドまたはｎ型不純物が高濃度にドーピングされているｎ+水素化非晶質シリコンなどの物質からなる複数の島状オーミック接触部材１６３、１６５が形成されている。島状オーミック接触部材は二つに分割され、互いに対をなして半導体上に位置する。
【００５３】
半導体１５０とオーミック接触部材１６３、１６５の側面も傾斜しており、傾斜角は３０〜８０度である。
オーミック接触部材１６３、１６５及びゲート絶縁膜１４０上には、各々複数のデータ線１７１と複数のドレイン電極１７５が形成されている。
データ線１７１は主に縦方向に延在してゲート線１２１と交差し、データ電圧を伝達する。各データ線１７１は、外部装置との接続のために幅が拡張されている拡張部１７９を有する。データ線１７１のほとんどは表示領域に位置しているが、データ線１７１の拡張部１７９は周辺領域に位置する。
【００５４】
各データ線１７１からドレイン電極１７５に向けて延在した複数の枝がソース電極１７３をなす。一対のソース電極１７３とドレイン電極１７５は互いに分離されており、ゲート電極１２４に対して互いに反対側に位置する。ゲート電極１２４、ソース電極１７３及びドレイン電極１７５は、半導体１５０と共に薄膜トランジスタ（ＴＦＴ）をなし、薄膜トランジスタのチャンネルは、ソース電極１７３とドレイン電極１７５との間の半導体１５０に形成される。
【００５５】
データ線１７１とドレイン電極１７５もまた、モリブデン（Ｍｏ）、モリブデン合金、クロム（Ｃｒ）などの下部膜１７１ｐ、１７５ｐとその上に位置したアルミニウム系または銀系金属である上部膜１７１ｑ、１７５ｑからなる。そして、データ線１７１の拡張部１７９も上部膜１７９ｑと下部膜１７９ｐを有する。
データ線１７１及びドレイン電極１７５の下部膜１７１ｐ、１７５ｐ及び上部膜１７１ｑ、１７５ｑもゲート線１２１と同様に、その側面が約３０〜８０度の角度でそれぞれ傾斜している。
【００５６】
オーミック接触部材１６１、１６５は、その下部の半導体１５０とその上部のデータ線１７１及びドレイン電極１７５の間にのみ存在し、接触抵抗を低くする役割を果たす。
データ線１７１、ドレイン電極１７５及び露出した半導体１５０部分の上には、平坦化特性が優れてかつ感光性を有する有機物質、プラズマ化学気相蒸着で形成されるａ-Ｓｉ:Ｃ:Ｏ、ａ-Ｓｉ:Ｏ:Ｆなど誘電常数４．０以下の低誘電率絶縁物質、または無機物質である窒化ケイ素などからなる保護膜１８０が形成されている。
【００５７】
保護膜１８０には、ドレイン電極１７５及びデータ線１７１の拡張部１７９をそれぞれ露出させる複数のコンタクトホール１８５、１８９が形成されており、ゲート線１２１の拡張部１２５を露出させる複数のコンタクトホール１８２がゲート絶縁膜１４０と保護膜１８０を貫通して形成されている。
保護膜１８０上には、ＩＴＯまたはＩＺＯなどの透明な導電物質からなる複数の画素電極１９０と複数の接触補助部材９０６、９０８が形成されている。
【００５８】
画素電極１９０はコンタクトホール１８５を介してドレイン電極１７５と物理的、電気的に接続され、ドレイン電極１７５からデータ電圧の印加を受ける。
画素電極１９０はまた、隣接するゲート線１２１及びデータ線１７１と重畳して開口率を向上させているが、重畳しないこともある。
接触補助部材９０６、９０８は、コンタクトホール１８２、１８９を介してゲート線の拡張部１２５及びデータ線の拡張部１７９とそれぞれ接続される。接触補助部材９０６、９０８は、ゲート線１２１及びデータ線１７１の各拡張部１２５、１７９と外部装置との接着性を補完し、これらを保護する役割を果たすもので、これらの適用は必須ではなく選択的である
次に、カラーフィルタ表示板２００について説明する。
【００５９】
絶縁基板２１０上にブラックマトリクス２２０が形成され、ブラックマトリクス２２０上にカラーフィルタ２３０が形成されている。カラーフィルタ２３０は、ブラックマトリクス２２０が区画する各画素領域毎に形成されており、赤色、緑色、及び青色の三原色カラーフィルタを有するのが普通である。場合によっては、カラーフィルタ２３０を形成しない領域を設けたり、または透明な樹脂からなる白色カラーフィルタを有することもできる。
【００６０】
カラーフィルタ２３０上には、ＩＴＯまたはＩＺＯなどの透明な導電物質からなる共通電極２７０が形成されている。
薄膜トランジスタ表示板１００とカラーフィルタ表示板２００との間には液晶層３が形成されている。液晶層３はねじれ配向された液晶を有する。
本実施形態において、液晶層３の液晶がねじれ配向されていることが示されているが、液晶が二つの表示板１００、２００に対し垂直に配向されたり、二つの表示板１００、２００に対し平行をなしながら液晶分子相互間でも平行に配向されることができる。
【００６１】
薄膜トランジスタ表示板１００とカラーフィルタ表示板２００の外側面には、下部偏光板１２及び上部偏光板２２がそれぞれ配置されている。
このような液晶表示パネルにおいて、データ線１７１を介して画像信号電圧が印加された画素電極１９０が共通電圧の印加を受けるカラーフィルタ表示板２００の共通電極２７０と共に電場を生成することによって、二つの電極間の液晶層３の液晶分子を再配列する。
【００６２】
また、画素電極１９０と共通電極２７０はキャパシタ（以下、液晶キャパシタと言う。）をなして、薄膜トランジスタがターンオフされた後にも印加された電圧を維持し、液晶キャパシタの電圧維持能力を強化するために、液晶キャパシタと並列に接続されたストレージキャパシタを設ける場合もある。このようなストレージキャパシタを形成するため、ゲート線１２１と同一層に維持電極線（図示せず）を形成することもできる。
【００６３】
本発明では、液晶表示パネル３００の表示領域を高解像度領域と低解像度領域に分割して形成する。この二つの領域の駆動方法について説明する。
図６は、本発明の一実施形態による液晶表示装置の配置図であって、駆動回路の配置状態を示し、図７は、本発明の他の実施例による液晶表示装置の配置図であって、駆動回路の配置状態を示す。
【００６４】
まず、図６に示すように、液晶表示パネル３００上にデータ駆動チップ５１０が実装され、低解像度領域の左側に低解像度領域駆動用ゲート駆動回路４１１が形成されており、高解像度領域の右側に高解像度領域駆動用ゲート駆動回路４１２が形成されている。ここで、ゲート駆動回路４１１、４１２はチップ状に実装したり、薄膜トランジスタ表示板１００上に直接形成することもできる。
【００６５】
液晶表示パネル３００の薄膜トランジスタ表示板１００には、低解像度領域ゲート線１２１ａと高解像度領域ゲート線１２１ｂが形成されている。低解像度領域ゲート線１２１ａ及び高解像度領域ゲート線１２１ｂの全部と絶縁されて交差する偶数番目データ線１７１ａと、高解像度領域ゲート線１２１ｂとのみ絶縁されて交差する奇数番目データ線１７１ｂとが形成されている。ここで、低解像度領域ゲート線１２１ａ間の間隔は、高解像度領域ゲート線１２１ｂ間の間隔の２倍である。
【００６６】
このような構造の液晶表示装置において、低解像度領域にのみ画像を表示しようとする場合には、低解像度駆動用ゲート駆動回路４１１にのみ動作信号を供給し、高解像度駆動用ゲート駆動回路４１２には動作信号を供給しないこともある。この時、データ線１７１は低解像度領域まで延長して形成されている偶数番目データ線１７１ａにのみ必要な画像信号を供給すれば良い。
【００６７】
次に、他の実施例では、図７に示すように、低解像度領域と高解像度領域の左側に、これら二つの領域全部にかかっているゲート駆動回路４１０が形成されている。ここで、ゲート駆動回路４１０はチップ状に実装したり、薄膜トランジスタ表示板１００上に直接形成することもできる。
このような構造の液晶表示装置において、低解像度領域にのみ画像を表示しようとする場合には、高解像度領域に対応するゲート駆動回路４１１にはオフ（ｏｆｆ）信号のみを継続的に印加するようにし、低解像度領域には正常なゲートオン-オフ（ｏｎ-ｏｆｆ）信号を印加する。データ線１７１は、低解像度領域まで延長されている偶数番目データ線１７１ａにのみ必要な画像信号を供給する。
【００６８】
ここでは、低解像度領域にのみ画像を表示する場合、高解像度領域には信号を供給しなかったり、オフ信号のみを印加することを示したが、低解像度領域にのみ画像を表示する場合、高解像度領域にも正常な駆動信号を供給しても良い。
また、本発明は半透過型液晶表示装置にも適用することができる。本発明を適用した半透過型液晶表示装置は、図１において選択反射フィルム３４７を除去した形態の構成を有する。
【００６９】
液晶表示パネル３００が低解像度領域と高解像度領域を有し、低解像度領域に属する画素の面積が高解像度領域に属する画素の面積より広いのは、図２Ａ、図２Ｂ及び図３に示すとおりである。
本発明を適用した半透過型液晶表示装置の構造について図８と図９を参照して具体的に説明する。
【００７０】
図８は、本発明の他の実施形態による液晶表示装置の液晶表示パネルにおいて個別画素の配置を示す図であり、図９は、図８のＩＸ-ＩＸ´線による断面図である。まず、薄膜トランジスタ表示板１００について説明する。
絶縁基板１１０上にゲート信号を伝達し、主に横方向に延在している複数のゲート線１２１が形成されている。
【００７１】
各ゲート線１２１の一部は複数のゲート電極１２４をなす。また、各ゲート線１２１は、外部装置との接続のために幅が拡張されている拡張部１２５を有する。ゲート線１２１のほとんどは表示領域に位置しているが、ゲート線１２１の拡張部１２５は周辺領域に位置する。ここで、ゲート駆動回路をＴＦＴ表示板（図１で１００）に直接形成する場合には、ゲート線１２１の拡張部を省略することもできる。
【００７２】
ゲート線１２１は、物理的性質が異なる二つの膜、つまり下部膜１２１ｐとその上の上部膜１２１ｑを有する。上部膜１２１ｑはゲート信号の遅延や電圧降下を減らすことができるように低い比抵抗の金属、例えばアルミニウム（Ａｌ）やアルミニウム合金などアルミニウム系金属からなる。これとは異なって、下部膜１２１ｐは他の物質、特にＩＴＯ及びＩＺＯとの物理的、化学的、電気的接触特性が優れた物質、例えばモリブデン（Ｍｏ）、モリブデン合金（例：モリブデン-タングステン（ＭｏＷ）合金）、クロム（Ｃｒ）、タンタル（Ｔａ）、チタニウム（Ｔｉ）などからなる。下部膜１２１ｐと上部膜１２１ｑの組み合わせの例としては、クロム/アルミニウム-ネオジム（Ｎｄ）合金がある。図９で、ゲート電極１２４の下部膜と上部膜は各々図面符号１２４ｐ、１２４ｑで示されている。そして、ゲート線１２１の拡張部１２５も上部膜１２５ｑと下部膜１２５ｐを有する。
【００７３】
また、下部膜１２１ｐと上部膜１２１ｑの側面は各々傾斜しており、その傾斜角は基板１１０の表面に対して約３０〜８０度である。
ゲート線１２１上には、窒化ケイ素（ＳｉＮｘ）などからなるゲート絶縁膜１４０が形成されている。
ゲート絶縁膜１４０上部には、水素化非晶質シリコン（非晶質シリコンはａ-Ｓｉと略称する。）などからなる複数の半導体１５０が形成されている。半導体１５０は主にゲート電極１２４上に形成されており、半導体１５０はゲート電極１２４より広い面積を覆っている。
【００７４】
半導体１５０上部には、シリサイドまたはｎ型不純物が高濃度にドーピングされているｎ+水素化非晶質シリコンなどの物質からなる複数の島状オーミック接触部材１６３、１６５が形成されている。島状オーミック接触部材は二つに分割され、互いに対をなして半導体上に位置する。
半導体１５０とオーミック接触部材１６３、１６５の側面も傾斜しており、その傾斜角は３０〜８０度である。
【００７５】
オーミック接触部材１６３、１６５及びゲート絶縁膜１４０上には、それぞれ複数のデータ線１７１と複数のドレイン電極１７５が形成されている。
データ線１７１は主に縦方向に延在してゲート線１２１と交差し、データ電圧を伝達する。各データ線１７１は、外部装置との接続のために幅が拡張されている拡張部１７９を有する。データ線１７１のほとんどは表示領域に位置しているが、データ線１７１の拡張部１７９は周辺領域に位置する。
【００７６】
各データ線１７１からドレイン電極１７５に向けて延在した複数の枝がソース電極１７３をなす。一対のソース電極１７３とドレイン電極１７５は互いに分離されており、ゲート電極１２４に対して互いに反対側に位置する。ゲート電極１２４、ソース電極１７３及びドレイン電極１７５は、半導体１５０と共に薄膜トランジスタ（ＴＦＴ）をなし、薄膜トランジスタのチャンネルは、ソース電極１７３とドレイン電極１７５との間の半導体１５０に形成される。
【００７７】
データ線１７１とドレイン電極１７５もまた、モリブデン（Ｍｏ）、モリブデン合金、クロム（Ｃｒ）などの下部膜１７１ｐ、１７５ｐとその上に位置したアルミニウム系または銀系金属である上部膜１７１ｑ、１７５ｑからなる。そして、データ線１７１の拡張部１７９も上部膜１７９ｑと下部膜１７９ｐを有する。
データ線１７１及びドレイン電極１７５の下部膜１７１ｐ、１７５ｐと上部膜１７１ｑ、１７５ｑもゲート線１２１と同様に、その側面が約３０〜８０度でそれぞれ傾斜している。
【００７８】
オーミック接触部材１６１、１６５は、その下部の半導体１５０とその上部のデータ線１７１及びドレイン電極１７５の間にのみ存在して接触抵抗を低くする役割を果たす。
データ線１７１、ドレイン電極１７５及び露出した半導体１５０部分の上には、平坦化特性が優れてかつ感光性を有する有機物質、プラズマ化学気相蒸着で形成されるａ-Ｓｉ:Ｃ:Ｏ、ａ-Ｓｉ:Ｏ:Ｆなど誘電常数４．０以下の低誘電率絶縁物質、または無機物質である窒化ケイ素などからなる保護膜１８０が形成されている。
【００７９】
保護膜１８０にはドレイン電極１７５及びデータ線１７１の拡張部１７９をそれぞれ露出させる複数のコンタクトホール１８５、１８９が形成されており、ゲート線１２１の拡張部１２５を露出させる複数のコンタクトホール１８２がゲート絶縁膜１４０と保護膜１８０を貫通して形成されている。
保護膜１８０上にはＩＴＯまたはＩＺＯなどの透明な導電物質からなる透過電極１９２と接触補助部材９０６、９０８が形成されている。
【００８０】
透過電極１９２上には銀（Ａｌ）などの反射特性が良い導電体からなる反射電極１９４が形成されている。反射電極１９４は光が透過する透過窓１９５を有する。
透過電極１９２と反射電極１９４がモードに応じて画素電極１９０として機能し、反射電極１９４は光を反射する役割も兼ねる。
透過電極１９２はコンタクトホール１８５を介してドレイン電極１７５と物理的、電気的に接続され、ドレイン電極１７５からデータ電圧の印加を受ける。
【００８１】
接触補助部材９０６、９０８は、コンタクトホール１８２、１８９を介してゲート線の拡張部１２５及びデータ線の拡張部１７９とそれぞれ接続される。接触補助部材９０６、９０８はゲート線１２１及びデータ線１７１の各拡張部１２５、１７９と外部装置との接着性を補完し、これらを保護する役割を果たすもので、これらの適用は必須ではなく選択的である。
【００８２】
次に、カラーフィルタ表示板２００について説明する。
絶縁基板２１０上にブラックマトリクス２２０が形成されており、ブラックマトリクス２２０上にカラーフィルタ２３０が形成されている。カラーフィルタ２３０は、ブラックマトリクス２２０が区画する各画素領域毎に形成されており、赤色、緑色、及び青色の三原色カラーフィルタを有するのが普通である。場合によっては、カラーフィルタ２３０を形成しない領域を設けたり、または透明な樹脂からなる白色カラーフィルタを有しても良い。
【００８３】
カラーフィルタ２３０上には、ＩＴＯまたはＩＺＯなどの透明な導電物質からなる共通電極２７０が形成されている。
薄膜トランジスタ表示板１００とカラーフィルタ表示板２００との間には液晶層３が形成されている。液晶層３は、ねじれ配向された液晶を有する。
本実施形態では、液晶層３の液晶がねじれ配向されているものを示したが、液晶が二つの表示板１００、２００に対し垂直に配向されたり、二つの表示板１００、２００に対し平行をなしながら液晶分子相互間でも平行に配向されることもできる。
【００８４】
薄膜トランジスタ表示板１００とカラーフィルタ表示板２００の外側面には、下部偏光板１２及び上部偏光板２２がそれぞれ配置されている。
半透過型液晶表示装置は、外部光が強いときには外部光を反射して画像表示に用いる反射型モードとして使用し、外部光が弱いときにはバックライト光を用いて画像を表示する透過型モードとして使用する。
【００８５】
このような半透過型液晶表示装置において節電のためバックライトを消す場合、低解像度領域を反射型モードで駆動することによって必要な情報を常時表示することができる。
低解像度領域と高解像度領域を有する半透過型液晶表示装置の駆動回路または駆動チップの配置は図６及び図７に示すものと同様であり、駆動方法も既に説明した内容と同様である。
【００８６】
図１０Ａは、本発明の他の実施形態による液晶表示装置の液晶表示パネルの配置図であり、図１０Ｂは、図１０ＡのＡ部分を拡大した図面である。
本発明の他の実施形態による液晶表示装置は、図１０Ａ及び図１０Ｂに示すように、高解像度領域に赤色、緑色及び青色カラーフィルタ（Ｒ、Ｇ、Ｂ）が各画素毎に形成されて色表示を行なっており、低解像度領域にはカラーフィルタがないか、あるいは透明な感光膜などからなる白色カラーフィルタ（Ｗ）が形成されて白黒表示を行うようになっている。この時、低解像度領域の画素一つが高解像度領域の画素三つを合せたものと同じ面積を占める。
【００８７】
このように、高解像度領域の画素三つの面積と同じ面積を有するように低解像度領域の画素を形成し、カラーフィルタを省略したり、白色カラーフィルターを形成することで、画素開口率が増加すると共にカラーフィルタによる光吸収が無くなるので、光利用効率が大きく増加する。カラーフィルタがない場合、カラーフィルタがある場合に比べて３倍近く光透過率が増加し、開口率も増加するので、低解像度領域の光利用効率は高解像度領域に比べて４倍以上となる。
【００８８】
低解像度領域の画素配列は、高解像度領域において一つのドットを表現する赤色、緑色及び青色画素からなる画素グループの配列と同一である。よって、高解像度領域の青色画素に画像信号を供給するデータ線が延在して低解像度領域の各画素に画像信号を供給する。
このように、高解像度領域の青色画素と接続されるデータ線を低解像度領域の画素と接続する場合、特別な駆動方法の変更やイメージプロセシングを行なうことなく、低解像度領域で白黒表示を行うことができる。
【００８９】
また、図６のように、ゲート駆動回路を高解像度領域用と低解像度領域用とに分離して使用し、低解像度領域のみを駆動する場合、データ駆動回路は、停止画像モード（ｓｔｉｌｌ ｍｏｄｅ）で駆動するようにすれば、９０％程度の省電力化の効果が得られる。つまり、停止画像モード（ｓｔｉｌｌ ｍｏｄｅ）においては、低解像度駆動用ゲート駆動回路４１１にのみ動作信号を供給し、高解像度駆動用ゲート駆動回路４１２には動作信号を供給しない。そして、データ線１７１には低解像度領域まで延長して形成されている偶数番目データ線１７１ａにのみ必要な画像信号を供給する。これにより、低解像度領域でのみ電力を使用し、高解像度領域での電力を省略する。このとき、低解像度領域は高解像度領域に比べてデータ線、ゲート線及びＴＦＴの数が少ないためこれらの駆動電力が少なく、かつ開口率が高いため、高い省電力化の効果が得られる。
【００９０】
図１１Ａは、本発明の他の実施形態による液晶表示装置の液晶表示パネルの配置図であり、図１１Ｂは、図１１ＡのＡ部分を拡大した図面である。
本発明の他の実施形態による液晶表示装置は、図１１Ａ及び図１１Ｂに示すように、低解像度領域は２部分に分割されており、一方には赤色カラーフィルタ（Ｒ）が形成されており、もう一方には青色カラーフィルタ（Ｂ）が形成されている。また、高解像度領域には赤色、緑色及び青色のカラーフィルター（Ｒ、Ｇ、Ｂ）が各画素毎に形成されて色表示を行うようになっている。この時、低解像度領域の画素一つは、高解像度領域の画素三つを合せたものと同じ面積を占める。
【００９１】
この時、低解像度領域に形成されるカラーフィルタは、赤色、緑色及び青色カラーフィルタ（Ｒ、Ｇ、Ｂ）のいずれか一つが低解像度領域全体に形成されることもできる。また、図１１Ｂに示すように、低解像度領域を複数個の部分に分割して各部分に異なるカラーフィルタを形成することもできる。例えば、３つに分割した場合には、各領域を赤色カラーフィルタ（Ｒ）、青色カラーフィルタ（Ｂ）、緑色カラーフィルタ（Ｇ）で形成する。
【００９２】
このようにして、低解像度領域に表示される画像が色相を有することができる。例えば、時間表示は青色で示し、アンテナ表示は緑色で示し、電池充電量は赤色で示すなど、低解像度領域に表示する情報の種類によって異なる色で表示することができる。
図１２Ａは、本発明の他の実施形態による液晶表示装置の液晶表示パネルの配置図であり、図１２Ｂは、図１２ＡのＡ部分を拡大した図面である。
【００９３】
本発明の他の実施形態による液晶表示装置は、図１２Ａ及び図１２Ｂに示すように、低解像度領域が２部分に分割され、一方の画素には赤色カラーフィルタ（Ｒ）と青色カラーフィルタ（Ｂ）が半々ずつ形成されており、もう一方の画素には緑色カラーフィルタ（Ｇ）と青色カラーフィルタ（Ｂ）が半々ずつ形成されている。高解像度領域には赤色、緑色及び青色カラーフィルタ（Ｒ、Ｇ、Ｂ）が各画素毎に形成され色表示を行うようになっている。この時、低解像度領域の画素一つは、高解像度領域の画素三つを合せたものと同じ面積を占める。
【００９４】
ここで、分割は２つに限られず、低解像度領域を三つ以上の部分に分割しても良い。そして、分割された各部分が互いに異なる色を表示するようにしたり、低解像度領域全体が一色のみを表示するようにすることもできる。例えば、３つの領域の１つは赤色カラーフィルタ（Ｒ）と青色カラーフィルタ（Ｂ）が半々ずつ、別の１つは赤色カラーフィルタ（Ｒ）と緑色カラーフィルタ（Ｇ）が半々ずつ、別の１つは青色カラーフィルタ（Ｂ）と緑色カラーフィルタ（Ｇ）が半々ずつ形成されている。また、図１０Ｂのように単色領域を設けることもできる。例えば、３つの領域の１つは赤色カラーフィルタ（Ｒ）と青色カラーフィルタ（Ｂ）が半々ずつ、別の１つは青色カラーフィルタ（Ｂ）と緑色カラーフィルタ（Ｇ）が半々ずつ形成され、別の１つは白色カラーフィルタ（Ｗ）などの単色で形成する。
【００９５】
このようにして、低解像度領域に表示される画像が三原色以外の色を有することができる。図１２Ｂのようにカラーフィルタを形成した場合、左側の低解像度領域は紫色（Ｖ）を表示し、右側の低解像度領域は空色（Ｓ）を表示する。
図１３は、本発明の他の実施形態による液晶表示装置の配置図で、駆動回路の配置状態を示す。
【００９６】
本実施形態では、図１３に示すように、低解像度領域のデータ線１７１ａと高解像度領域のデータ線１７１ｂが別途に形成されている。ここで、高解像度領域のデータ線１７１ｂは縦方向に延在しており、低解像度領域のデータ線１７１ａはそれと垂直をなす横方向に延在している。これにより、駆動チップ５１０と接続するための高解像度領域のデータ線引込部７９２は高解像度領域の下側に配置されており、低解像度領域のデータ線引込部７９１は低解像度領域の右側に配置されている。
【００９７】
駆動チップ５１０から供給される画像信号も別途の接続配線５１１ａ、５１１ｂを介して低解像度領域のデータ線引込部７９１と高解像度領域のデータ線７９１とにそれぞれ供給される。
反面、ゲート線１２１ａ、１２１ｂは、各領域のデータ線１７１ａ、１７１ｂと垂直に延在しているので、低解像度領域ゲート線１２１ａは縦方向に延在しており、高解像度領域ゲート線１２１ｂは横方向に延在している。これにより、低解像度領域ゲート駆動回路４１１は低解像度領域の上側に配置されており、高解像度領域ゲート駆動回路４１２は高解像度領域の右側に配置されている。ここでゲート駆動回路４１１、４１２は、チップ状に実装されたり、液晶表示板の薄膜トランジスタ表示板に直接形成されることができる。
【００９８】
一方、低解像度領域は細長い帯状に形成されるのが普通であり、本実施形態では、図１３において横方向が長手方向であり、縦方向が幅方向である帯状を有する。ところが、低解像度領域データ線１７１ａが低解像度領域の長手方向に沿って長く形成され幅方向が短く形成されているので、データ線を幅方向に沿って形成する場合に比べてデータ線１７１ａの数が大きく減少する。例えば、１２８×１６０の解像度を有する液晶表示装置において、低解像度領域データ線１７１ａを低解像度領域の幅方向に形成する場合、１２８×３個のデータ線１７１ａが必要である。ところが、本実施形態のように、低解像度領域データ線１７１ａを低解像度領域の長手方向に形成する場合、１６０-１２８=３２個のデータ線１７１ａで充分である。その反面、ゲート線１２１ａ数は増加する。
【００９９】
このように、低解像度領域データ線１７１ａ数が減少すれば、駆動チップ５１０と低解像度領域のデータ線引込部７９１の間を接続する接続配線５１１ａ数も減少する。接続配線５１１ａ数が減少する場合、設計時に配線配置が容易になる。
これに対し、低解像度領域ゲート線１２１ａ数は増加するが、ゲート線１２１ａに走査信号を供給するゲート駆動回路４１１が低解像度領域の長手方向に沿って低解像度領域の上側に形成される。ここで、駆動チップ５１０を経てゲート駆動回路４１１に伝達される信号の種類はゲート線１２１ａの数が変わっても変動しないので、駆動チップ５１０とゲート駆動回路４１１の間を接続する配線５１２ａの数は変わらない。例えば、駆動チップ５１０とゲート駆動回路４１１との間は複数本のバス配線である配線５１２ａにより接続されており、低解像度領域ゲート線１２１ａはこの配線５１２ａを共有して信号を受信している。ここで、信号の種類に応じて配線５１２ａの本数は変化するが、信号の種類が一定であれば、ゲート線の数が増えても駆動チップ５１０及びゲート駆動回路４１１間の配線５１２ａの数は変化しない。
【０１００】
本発明によれば、液晶表示パネルに低解像度領域と高解像度領域を設け、常時表示すべき情報を低解像度領域に表示することによって、消費電力を節減する効果と必要な情報を常時表示できるという効果が同時に得られる。また、低解像度領域と高解像度領域を別途に駆動するための駆動回路と配線配置を効率的に行って、製造工程のマージンを増加させることができる。
【０１０１】
次に、本発明による表示装置の他の実施形態である液晶表示装置について図１、図１４及び図１５を参照して詳細に説明する。
図１４は、本発明の他の実施形態による液晶表示装置のブロック図であり、図１５は、本発明の他の実施形態による液晶表示装置の一つの画素に対する等価回路図である。
図１に示すように、本発明による液晶表示装置は、光を利用して映像を表示する液晶表示パネルアセンブリ３３０と、光を提供するバックライトアセンブリ３４０と、液晶表示パネルアセンブリ３３０とバックライトアセンブリ３４０との間に配置されている選択反射フィルム３４７と、液晶表示パネルアセンブリ３３０、選択反射フィルム３４７及びバックライトアセンブリ３４０を収納するモールドフレーム３６４と、これらを取り囲んで固定する上部及び下部シャーシ３６１、３６２とを備える。
【０１０２】
液晶表示パネルアセンブリ３３０は、映像を表示する液晶表示パネル３００、駆動チップ５１０、及びフレキシブル回路基板５５０を備える。
液晶表示パネル３００は、下部表示板１００及び上部表示板２００とその間に入っている液晶層３を備える。
下部表示板１００は、複数の表示信号線（Ｇ1-Ｇn、Ｄ1-Ｄm）を有し、下部及び上部表示板１００、２００は、表示信号線（Ｇ1-Ｇn、Ｄ1-Ｄm）に接続されほぼ行列状に配列された複数の画素を有する。
【０１０３】
表示信号線（Ｇ1-Ｇn、Ｄ1-Ｄm）は、ゲート信号（走査信号とも言う。）を伝達する複数のゲート線（Ｇ1-Ｇn）とデータ信号を伝達するデータ線（Ｄ1-Ｄm）を有する。ゲート線（Ｇ1-Ｇn）はほぼ行方向に延在して互いにほぼ平行であり、データ線（Ｄ1-Ｄm）はほぼ列方向に延在して互いにほぼ平行である。
各画素は、表示信号線（Ｇ1-Ｇn、Ｄ1-Ｄm）に接続されたスイッチング素子Ｑとこれに接続された液晶キャパシタＣLC及びストレージキャパシタＣSTを有する。ストレージキャパシタＣSTは必要に応じて省略することができる。
【０１０４】
薄膜トランジスタなどのスイッチング素子Ｑは下部表示板１００に備えられており、三端子素子として、その制御端子及び入力端子は、それぞれゲート線（Ｇ1-Ｇn）及びデータ線（Ｄ1-Ｄm）に接続されており、出力端子は、液晶キャパシタＣLC及びストレージキャパシタＣSTに接続されている。
液晶キャパシタＣLCは、下部表示板１００の画素電極１９０と上部表示板２００の共通電極２７０を二つの端子とし、二つの電極１９０、２７０間の液晶層３は誘電体として機能する。画素電極１９０はスイッチング素子Ｑに接続され、共通電極２７０は上部表示板２００の全面に形成され共通電圧（Ｖcom）の印加を受ける。図１５とは異なって、共通電極２７０が下部表示板１００に具備されることもあり、その場合には二つの電極１９０、２７０の少なくとも一つが線形または棒形に形成されることができる。
【０１０５】
液晶キャパシタＣLCの補助的な役割を果たすストレージキャパシタＣSTは、下部表示板１００に備えられた別個の信号線（図示せず）と画素電極１９０とが絶縁体を介在して重畳してなり、この別個の信号線には共通電圧（Ｖcom）など定められた電圧が印加される。しかし、ストレージキャパシタＣSTは、画素電極１９０が絶縁体を媒介としてすぐ上の前段ゲート線と重畳してなることができる。
【０１０６】
一方、色表示を実現するために各画素が色を表示できることが要求されるが、これは画素電極１９０に対応する領域に三原色、例えば赤色、緑色、または青色のカラーフィルタ２３０を具備することで可能である。図１５において、カラーフィルタ２３０が上部表示板２００に形成されているが、これとは異なって、下部表示板１００の画素電極１９０の上または下に形成することもできる。
【０１０７】
液晶表示パネル３００の二つの表示板１００、２００の少なくとも一つの外側面には光を偏光させる偏光子（図示せず）が付着されている。
ゲート駆動部４００は複数のゲート線（Ｇ1-Ｇn）に接続され、外部からのゲートオン電圧（Ｖon）とゲートオフ電圧（Ｖoff）の組み合わせからなるゲート信号をゲート線（Ｇ1-Ｇn）に印加する。ゲート駆動部４００は、スイッチング素子Ｑ及び表示信号線（Ｇ1-Ｇn、Ｄ1-Ｄm）と共に、液晶表示パネル３００の下部表示板１００に直接形成されている。
【０１０８】
図１に示すように、駆動チップ５１０は液晶表示パネル３００の下部表示板１００上に直接付着されており（ＣＯＧ実装方式）、図１４に示すように、信号制御部６００、信号制御部６００に接続されたデータ駆動部５００、データ駆動部５００に接続された階調電圧生成部８００などを備える。
階調電圧生成部８００は、画素の透過率に関連する二組の複数の階調電圧を生成する。そのうち一組は共通電圧（Ｖcom）に対してプラスの値を有し、もう一組はマイナスの値を有する。
【０１０９】
データ駆動部５００は、液晶表示パネル３００のデータ線（Ｄ1-Ｄm）に接続され、階調電圧生成部８００からの階調電圧を選択してデータ信号として画素に印加する。
信号制御部６００は、ゲート駆動部４００及びデータ駆動部５００などの動作を制御する。
液晶表示パネルアセンブリ３３０の下には、液晶表示パネル３００に均一な光を提供するためのバックライトアセンブリ３４０が具備される。
【０１１０】
バックライトアセンブリ３４０は、光を供給する光源部３４４、光の経路を案内する導光板３４２、導光板３４２から射出した光の輝度を均一にする光学シート３４３、導光板３４２から漏れた光を反射するための反射板３４１、信号制御部６００に接続された光源制御部３４８、及び光源制御部３４８と光源部３４４に接続された電源供給部３４９を備える。
【０１１１】
光源部３４４は主光源部３４４１と副光源部３４４２を有し、主光源部３４４１と副光源部３４４２は導光板３４２の両側、例えば両端軸にそれぞれ位置し、光を導光板３４２に提供する。この時、主光源部３４４１と副光源部３４４２の位置が互いに入れ替わることがある。光源部３４４の光源は、電力消費が少ない複数の発光ダイオードを有するが、ＣＣＦＬ、ＥＥＦＬのような蛍光ランプを用いることもできる。ここで、装着する発光ダイオードの個数を必要に応じて変更できる。
【０１１２】
光源制御部３４８は、信号制御部６００からの制御信号に従って電源供給部３４９の動作を制御する。
電源供給部３４９は、光源制御部３４８の動作に従って光源部３４４の動作に必要な駆動電圧を提供する。
導光板３４２は、映像が表示される液晶表示パネル３００の表示領域に光を案内する導光パターン（図示せず）を有する。
【０１１３】
導光板３４２と液晶表示パネル３００との間には光学シート３４３が介在されている。光学シート３４３は、導光板３４２から提供された光の輝度を均一にして液晶表示パネル３００に提供する。
一方、液晶表示パネルアセンブリ３３０とバックライトアセンブリ３４０との間には光源部３４４を消灯した状態で外部光を反射して映像を表示するようにする選択反射フィルム３４７が配置されている。選択反射フィルム３４７は一部の光を反射し、一部の光を透過する。従って、光源部３４４が点灯しているときは、光が選択反射フィルム３４７を通して液晶表示パネル３００に入射され、光源部３４４が消灯しているときは、液晶表示パネル３００を介して入射した外部の光が選択反射フィルム３４７に反射して再び液晶表示パネル３３に入射して表示に使用される。
【０１１４】
導光板３４２の下には反射板３４１が具備される。反射板３４１は、導光板３４２で漏れた光を再び導光板３４２に反射し、光の利用効率を向上させる。
モールドフレーム２５２は、反射板３４１、導光板３４２、光学シート３４３及び液晶表示パネル３００を順次に収納する。モールドフレーム２５２は、開口された底面２５１、及び前記底面２５１から延長した側壁２５２を有し、合成樹脂材質からなる。
【０１１５】
フレキシブル回路基板５５０は、モールドフレーム３６４の外側壁２５２に沿って折曲する。モールドフレーム３６４の側壁２５２には、下部シャーシ３６２と結合するための複数の第１結合突起５１が形成されている。
モールドフレーム３６４は、金属材質からなる下部シャーシ３６２に収納される。下部シャーシ３６２は、ベースプレート２６１及びベースプレート２６１のエッジから収納空間を形成するために延長された側板２６２を備える。側板２６２には複数の第１結合突起５１に対応する複数の結合溝６１が形成されている。
【０１１６】
モールドフレーム３６４と下部シャーシ３６２の結合時に、下部シャーシ３６２の側板２６２が部分的にモールドフレーム３６４の側壁２５２の外側に位置する。複数の第１結合突起５１は、複数の結合溝６１に挿入されてモールドフレーム３６４と下部シャーシ３６２を結合する。この時、モールドフレーム３６４は、液晶表示装置の全体大きさを小さくするために、下部シャーシ３６２の側板２６２と接する部分が部分的に下部シャーシ３６２の側板２６２の厚さほど凹んでいる。
【０１１７】
一方、液晶表示パネル３００の上部には上部シャーシ３６１が具備されている。上部シャーシ３６１は、液晶表示パネル３００を映像が表示される有効表示領域が開口されるように覆いながら下部シャーシ３６２と結合する。上部シャーシ３６１は液晶表示パネル３００の位置を案内し、液晶表示パネル３００をモールドフレーム３６４内に固定する。
次に、このような液晶表示装置の表示動作について詳細に説明する。
【０１１８】
駆動チップ５１０の信号制御部６００は、外部のグラフィック制御部（図示せず）から入力映像信号Ｒ、Ｇ、Ｂ及びその表示を制御する入力制御信号、例えば垂直同期信号Ｖｓｙｎｃと水平同期信号Ｈｓｙｎｃ、メインクロックＭＣＬＫ、データイネーブル信号ＤＥなどの提供を受ける。
信号制御部６００は、入力映像信号Ｒ、Ｇ、Ｂと入力制御信号に従って入力映像信号Ｒ、Ｇ、Ｂを適切に処理し、ゲート制御信号ＣＯＮＴ１及びデータ制御信号ＣＯＮＴ２などを生成した後、信号制御部６００はゲート制御信号ＣＯＮＴ１をゲート駆動部４００に送出し、データ制御信号ＣＯＮＴ２と処理した映像信号ＤＡＴはデータ駆動部５００に送出する。
【０１１９】
ゲート制御信号ＣＯＮＴ１は、ゲートオン電圧（Ｖon）の出力開始を指示する垂直同期開始信号ＳＴＶ、ゲートオン電圧（Ｖon）の出力時期及び出力電圧を制御する少なくとも一つのクロック信号などを含む。
データ制御信号ＣＯＮＴ２は、映像データＤＡＴの伝送開始を知らせる水平同期開始信号ＳＴＨとデータ線（Ｄ1-Ｄm）にデータ電圧の印加を指示するロード信号ＬＯＡＤ、共通電圧（Ｖcom）に対するデータ電圧の極性（以下、共通電圧に対するデータ電圧の極性を略してデータ電圧の極性という。）を反転させる反転信号ＲＶＳ及びデータクロック信号ＨＣＬＫなどを含む。
【０１２０】
データ駆動部５００は、信号制御部６００からのデータ制御信号ＣＯＮＴ２に従って一つの行の画素に対する映像データＤＡＴを順次に受信し、階調電圧生成部８００からの階調電圧のうちの各映像データＤＡＴに対応する階調電圧を選択することによって、映像データＤＡＴを当該データ電圧に変換した後、これを主液晶表示パネル３００の当該データ線（Ｄ1-Ｄm）に印加する。
【０１２１】
ゲート駆動部４００は、信号制御部６００からのゲート制御信号ＣＯＮＴ１に従ってゲートオン電圧（Ｖon）をゲート線（Ｇ1-Ｇn）に印加して該ゲート線（Ｇ1-Ｇn）に接続されたスイッチング素子Ｑを導通させ、そのためデータ線（Ｄ1-Ｄm）に印加されたデータ電圧が導通したスイッチング素子Ｑを介して当該画素に印加される。
画素に印加されたデータ電圧と共通電圧（Ｖcom）との差は液晶キャパシタＣLCの充電電圧、つまり画素電圧として表れる。液晶分子は画素電圧の大きさに応じてその配列が異なる。
【０１２２】
バックライトアセンブリ３４０は、選択スイッチの動作状態や液晶表示装置の動作状態などに応じて、外部から印加されるバックライト制御信号ＣＯＮＴ３に従って光源部３４４の点滅が行なわれる。以下、このようなバックライトアセンブリ３４０の動作について詳細に説明する。バックライト制御信号ＣＯＮ３は信号制御部６００から提供されることもできる。
【０１２３】
バックライトアセンブリ３４０の動作に従って光源部３４４から出た光が液晶層３を通りながら液晶分子の配列によってその偏光が変化する。このような偏光の変化は、偏光子によって光透過率の変化として表れる。
１水平周期（または１Ｈ）（水平同期信号Ｈｓｙｎｃ、データイネーブル信号ＤＥ、ゲートクロックＣＰＶの一周期）が経過すれば、データ駆動部５００とゲート駆動部４００は、次行の画素に対して同一動作を繰り返す。このような方法で、１フレーム期間の間全ゲート線（Ｇ1-Ｇn）に対して順次にゲートオン電圧（Ｖon）を印加して全画素にデータ電圧を印加する。１フレームが終了すれば次のフレームが開始され、各画素に印加されるデータ電圧の極性が直前フレームでの極性と逆になるように、データ駆動部５００に印加される反転信号ＲＶＳの状態が制御される（フレーム反転）。この時、１フレーム内でも反転信号ＲＶＳの特性に従って一つのデータ線を介して流れるデータ電圧の極性が変わったり（例：行反転、ドット反転）、一つの画素行に印加されるデータ電圧の極性も互いに異なることがある（例：列反転、ドット反転）。
【０１２４】
以下、本発明の一実施形態によるバックライトアセンブリ３４０の動作を図１４と共に図１６乃至図１７Ｂを参照して詳細に説明する。
図１６は、本発明の一実施形態による電源供給部のブロック図である。図１７Ａ及び図１７Ｂは、本発明の一実施形態による主光源部の配置例を示すものである。
図１４を参照して既に説明したように、バックライトアセンブリ３４０は、光源制御部３４８、光源制御部３４８に連結された電源供給部３４９及び電源供給部３４９に接続されており、主光源部３４４１と副光源部３４４２とを備えた光源部３４４を有する。
【０１２５】
図１６に示すように、電源供給部３４９は主電源部９８１と副電源部９８２とを有する。
主電源部９８１は、電池のような携帯用電源装置（図示せず）からの入力電圧Ｖｂと光源制御部３４８からの制御信号ＥＮ１を受信して、主光源部３４４１の駆動に適する駆動電圧Ｖｏｕｔ１と接地電圧ＧＮＤ１を出力する。
【０１２６】
副電源部９８２は、入力電圧Ｖｂと光源制御部３４８からの制御信号ＥＮ２を受信して、副光源部３４４２の駆動に適する駆動電圧Ｖｏｕｔ２と接地電圧ＧＮＤ２を出力する。
制御信号ＥＮ１、ＥＮ２は光源制御部３４８から印加される各電源部９８１、９８２のイネーブル信号である。これらの信号ＥＮ１、ＥＮ２の状態に応じて各当該電源部９８１、９８２の動作が決定される。例えば、制御信号ＥＮ１、ＥＮ２の状態が高レベルであるハイ（Ｈ）状態であれば、当該電源部９８１、９８２は動作し、低レベルであるロー（Ｌ）状態であれば、当該電源部９８１、９８２は動作しない。
【０１２７】
図１７Ａに示すように、光源部３４０の主光源部３４４１は直列に接続されている複数の光源、つまり複数の発光ダイオードＬ１-Ｌ４を有し、駆動端子Ａ１は主電源部９８１から駆動電圧Ｖｏｕｔ１を受信し、接地端子Ｂ１は主電源部９８１からの接地電圧ＧＮＤ１を受信する。
副光源部３４４２は一つの発光ダイオードＬ５を有し、駆動端子Ａ２は副電源部９８２から駆動電圧Ｖｏｕｔ２を受信し、接地端子Ｂ２は副電源部９８２からの接地電圧ＧＮＤ２を受信する。
【０１２８】
これら光源部３４４１、３４４２の発光ダイオードＬ１-Ｌ５の個数を必要に応じて変更することができるのは勿論である。
主光源部３４４１と副光源部３４４２は、それぞれ接続された主電源部９８１と副電源部９８２の動作に応じて点滅状態が決定される。例えば、当該電源部９８１、９８２が作動し、動作に必要な駆動電圧Ｖｏｕｔ１、Ｖｏｕｔ２と接地電圧ＧＮＤ１、ＧＮＤ２を供給すれば、当該光源部３４４１、３４４２は点灯し、そうでない場合には消灯する。
【０１２９】
図１７Ａに示すように、本発明の一実施形態による液晶表示パネル３００の表示領域は、高解像度領域である主表示部３０１と低解像度領域である副表示部３０２に分割される。しかし、主表示部３０１と副表示部３０２を分ける基準は解像度に限るものではなく、解像度以外の例えば表示領域の面積などによって分けることもできる。
主表示部３０１は定形化されない映像を表示する領域で、精密な表示が求められる映像を表示する領域である。副表示部３０２は携帯電話機等において時間表示、アンテナ感度表示、電池消耗など定形化した表示を行なう部分で、解像度が低くても表示に影響が少ない領域であり、最低階調や最大階調のみを用いた表示も可能である。
【０１３０】
従って、図１７Ａに示すように、主光源部３４４１は主表示部３０１に隣接した液晶表示パネル３００の下部側に横方向に長く配置されており、副光源部３４４１は副表示部３０２に隣接した液晶表示パネル３００の上部側に配置されている。この時、主光源部３４４１の発光ダイオードＬ１-Ｌ４は主表示部３０１に隣接するように一定の間隔で配置され、主表示部３０１に光が均一に、つまり最も効率的に印加されるようにする。また、副光源部３４４２の発光ダイオードＬ５も副表示部３０２に最も効率的に光を供給できる位置、例えば液晶表示パネル３００上部の中央部近くに配置されていることが好ましい。しかし、これら発光ダイオードＬ１-Ｌ５が配置される位置も変更可能である。
【０１３１】
このようなバックライトアセンブリ３４０の動作は以下のとおりである。
既に説明したように、主光源部３４４１と副光源部３４４２は、主電源部９８１と副電源部９８２の動作に従って点滅が決定される。
即ち、バックライト制御信号ＣＯＮＴ３に従って光源制御部３４８は、電源供給部３４９の主電源部９８１と副電源部９８２にそれぞれ印加されるイネーブル信号ＥＮ１、ＥＮ２の状態を定めて当該状態の信号を伝達する。例えば、液晶表示パネル３００の主表示部３０１と副表示部３０２をいずれも用いる場合には、光源制御部３４８はイネーブル信号ＥＮ１、ＥＮ２全部を高レベル状態とし、主表示部３０１のみを用いる場合には、イネーブル信号ＥＮ１のみを高レベルとする。
【０１３２】
また、主表示部３０１に画像を表示せず、基本的な情報のみを副表示部３０２に表示する場合には、イネーブル信号ＥＮ２のみを高レベルとする。そして、所定の時間以上の間、液晶表示装置が動作しない場合には、イネーブル信号ＥＮ１、ＥＮ２全部を低レベルとする。これに対し、イネーブル信号ＥＮ１、ＥＮ２の状態に応じた各光源部９８１、９８２は異なる状態で動作することもできる。
【０１３３】
このような各イネーブル信号ＥＮ１、ＥＮ２の状態に応じて当該電源部９８１、９８２が動作すれば、駆動電圧Ｖｏｕｔ１、Ｖｏｕｔ２は各当該光源部３４４１、３４４２の駆動端子Ａ１、Ａ２に印加され、接地電圧ＧＮＤ１、ＧＮＤ２は各当該光源部３４４１、３４４２の接地端子Ｂ１、Ｂ２に印加されて、主光源部３４４１または副光源部３４４２の点滅が決められ、当該表示部３０１、３０２に必要な光を提供する。
【０１３４】
図１７Ｂは、本発明の一実施形態による主光源部３４４１の他の例であって、複数の発光ダイオードＬ１-Ｌ４が並列に接続されていることのみ異なり、その他の動作は図１７Ａを参照して説明したものと同一である。この場合にも、主電源部９８１による駆動電圧Ｖｏｕｔ１と接地電圧ＧＮＤ１が各当該駆動端子Ａ１と接地端子Ｂ１に提供されるか否かによって点灯及び消灯する。
【０１３５】
このように、液晶表示パネル３００を複数領域に分割した後、各領域の動作状態に応じて光源部３４４１、３４４２の点滅が決定されるので、不要に光源部３４４１、３４４２を点灯することによる無駄な電力消耗が減少する。
次に、図１８乃至図１９Ｂを参照して本発明の他の実施形態による液晶表示装置について説明する。
【０１３６】
図１８は、本発明の他の実施形態による液晶表示装置の分解斜視図である。図１９Ａと図１９Ｂは、本発明の他の実施形態による主光源部の配置例を示すものである。
図１８に示す液晶表示装置は、光源部３４４の主光源部３４４１及び副光源部３４４２の装着位置を除けば図１に示した液晶表示装置と同一な構造を有している。即ち、主光源部３４４１及び副光源部３４４２が導光板３４２の一方の長軸側面に列方向に並んで装着されている。勿論これらの光源部３４４１、３４４２の装着位置が他方の長軸側面になることもある。
【０１３７】
これにより、図１９Ａ及び図１９Ｂに示すように、主表示部３０１と副表示部３０２に分割されている液晶表示パネル３００のいずれか一側面に光源部３４４１、３４４２の発光ダイオードＬ１-Ｌ５が対応するように配置されている。即ち、主光源部３４４１の発光ダイオードＬ１-Ｌ４は主表示部３０１の一方の側面に一定間隔で配置されており、副光源部３４４２の発光ダイオードＬ５は副表示部３０２の一方の側面に配置されている。本実施形態において、各発光ダイオードＬ１-Ｌ５もまた当該表示部３０１、３０２に最も効率的に光を提供できる形態に配列されている。図１９Ａ及び図１９Ｂにおいて、各光源部３４４１、３４４２は液晶表示パネル３００の右側に装着されているが、左側に装着されることもできる。
【０１３８】
図１９Ａ及び図１９Ｂの差は、図１７Ａ及び図１７Ｂと同様に、主光源部３４４１の発光ダイオードＬ１-Ｌ４の接続状態に関し、図１９Ａでは主光源部３４４１の発光ダイオードＬ１-Ｌ４が直列に接続されているのに対し、図１９Ｂでは発光ダイオードＬ１-Ｌ４が並列に接続されている。
このような主光源部３４４１と副光源部３４４２の動作は、図１乃至図１７Ｂを参照して説明した動作と同様である。
【０１３９】
本発明の実施例形態によれば、主表示板と副表示板のように複数の表示板を備えるデュアル表示装置において、主表示板より大きさが小さい副表示板によってのみ表示が行われる場合、所定個数の光源の強さを変化させる。これにより、多くの光量を必要としないとき光源で消費される電力が減少し、表示装置全体の電力消耗が減少する。
以上で本発明の好適な実施形態について詳細に説明したが、本発明の権利範囲はこれに限定されず、特許請求の範囲で定義している本発明の基本概念を利用した当業者の様々な変形及び改良形態も本発明の権利範囲に属する。
【図面の簡単な説明】
【０１４０】
【図１】本発明の一実施形態による液晶表示装置の分解斜視図である。
【図２Ａ】本発明の一実施形態による液晶表示装置の配置図である。
【図２Ｂ】本発明の一実施形態による液晶表示装置の配置図である。
【図３】本発明の一実施形態による液晶表示装置の低解像度領域と高解像度領域の画素面積を比較する図である。
【図４】本発明の一実施形態による液晶表示装置の液晶表示パネルにおいて個別画素の配置を示す図である。
【図５】図４のＶ-Ｖ´線による断面図である。
【図６】本発明の一実施形態による液晶表示装置の配置図であって、駆動回路の配置状態を示す。
【図７】本発明の他の実施形態による液晶表示装置の配置図であって、駆動回路の配置状態を示す。
【図８】本発明の他の実施形態による液晶表示装置の液晶表示パネルにおいて個別画素の配置を示す図である。
【図９】図８のＩＸ-ＩＸ´線による断面図である。
【図１０Ａ】本発明の他の実施形態による液晶表示装置の液晶表示パネルの配置図である。
【図１０Ｂ】図１０ＡのＡ部分を拡大した図面である。
【図１１Ａ】本発明の他の実施形態による液晶表示装置の液晶表示パネルの配置図である。
【図１１Ｂ】図１１ＡのＡ部分を拡大した図面である。
【図１２Ａ】本発明の他の実施形態による液晶表示装置の液晶表示パネルの配置図である。
【図１２Ｂ】図１２ＡのＡ部分を拡大した図面である。
【図１３】本発明の他の実施形態による液晶表示装置の配置図であって、駆動回路の配置状態を示す。
【図１４】本発明の一実施形態による液晶表示装置のブロック図である。
【図１５】本発明の一実施形態による液晶表示装置の一つの画素に対する等価回路図である。
【図１６】本発明の一実施形態による電源供給部のブロック図である。
【図１７Ａ】本発明の一実施形態による主光源部の配置例を示す図である。
【図１７Ｂ】本発明の一実施形態による主光源部の配置例を示す図である。
【図１８】本発明の他の実施形態による液晶表示装置の分解斜視図である。
【図１９Ａ】本発明の他の実施形態による主光源部の配置例を示す図である。
【図１９Ｂ】本発明の他の実施形態による主光源部の配置例を示す図である。
【符号の説明】
【０１４１】
１００  ＴＦＴ表示板
１１０、２１０絶縁基板
１２１  ゲート線
１２４  ゲート電極
１４０  ゲート絶縁膜
１５０  半導体
１６３、１６５  オーミック接触部材
１７１  データ線
１７３  ソース電極
１７５  ドレイン電極
１８０  保護膜
１８５、１８９  コンタクトホール
１９０  画素電極
１９２  透過電極
１９４  反射電極
２００  カラーフィルタ表示板
２２０  ブラックマトリクス
２３０  カラーフィルタ
２７０  共通電極
３００  液晶表示パネル
３３０  液晶表示パネルアセンブリ
３４０  バックライトアセンブリ
３４１  反射板
３４２  導光板
３４３  光学シート
３４４  光源
３４７  選択反射フィルム
３４８  光源制御部
３４９  電源供給部
３６４  モールドフレーム
３６１、３６２  シャーシ
４１１、４１２  ゲート駆動回路
５００  データ駆動部
５１０  駆動チップ
５５０  フレキシブル回路基板
６００  信号制御部
８００  階調電圧生成部
９８１、９８２  電源部
３４４１  主光源部
３４４２  副光源部
３  液晶層
【図１】
2006171727.tif 000003
【図２Ａ】
2006171727.tif 000004
【図２Ｂ】
2006171727.tif 000005
【図３】
2006171727.tif 000006
【図４】
2006171727.tif 000007
【図５】
2006171727.tif 000008
【図６】
2006171727.tif 000009
【図７】
2006171727.tif 000010
【図８】
2006171727.tif 000011
【図９】
2006171727.tif 000012
【図１０Ａ】
2006171727.tif 000013
【図１０Ｂ】
2006171727.tif 000014
【図１１Ａ】
2006171727.tif 000015
【図１１Ｂ】
2006171727.tif 000016
【図１２Ａ】
2006171727.tif 000017
【図１２Ｂ】
2006171727.tif 000018
【図１３】
2006171727.tif 000019
【図１４】
2006171727.tif 000020
【図１５】
2006171727.tif 000021
【図１６】
2006171727.tif 000022
【図１７Ａ】
2006171727.tif 000023
【図１７Ｂ】
2006171727.tif 000024
【図１８】
2006171727.tif 000025
【図１９Ａ】
2006171727.tif 000026
【図１９Ｂ】
2006171727.tif 000027